(57)【要約】【課題】大腿部後部の筋力であるハムストリングスを強化するために緊締力を加えようとする場合に、緊締力を加えても、ウォーキングのための足の運動が制限されることなく自然に足を動かすことが出来るショーツ，スパッツ等の下穿を得る。【解決手段】筒状に前身頃と後身頃が連続して編成されてなり股下部に襠布を有するショーツ，スパッツ等の下穿であって、前身頃の脚筒部及び後身頃の左右のヒップ部膨大部を伸縮性の大なる組織の編地とし、その他の部分を伸縮性の少ない組織の編地とした。【選択図】図１
0003127180.tif 000002
【実用新案登録請求の範囲】
【請求項１】
筒状に前身頃と後身頃が連続して編成されてなり股下部に襠布を有するショーツ，スパッツ等の下穿であって、前身頃の脚筒部及び後身頃の左右のヒップ部膨大部を伸縮性の大なる組織の編地とし、その他の部分を伸縮性の少ない組織の編地としたことを特徴とするショーツ，スパッツ等の下穿。
【考案の詳細な説明】
【技術分野】
【０００１】
本考案は、着用することで、着用した部位の筋力アップを期待できるショーツ，スパッツ等の下穿に関し、詳しくは着用により大腿部後面の筋であるハムストリングスを緊締し、効率的にそれを鍛えることを可能とし、その結果ウォーキングの効果の助長，ヒップアップ効果の発現等を得ることの出来るショーツ，スパッツ等の下穿に係るものである。
【背景技術】
【０００２】
現在、体力の増強．健康の保持等の目的でウォーキングが盛んに行なわれている。ウォーキング時には大腿部後面の筋肉であるハムストリングスが強化され、その結果ヒップアップ効果が期待される。
【０００３】
筋力を強化するには所望の筋肉部位を緊締バンド等により緊締し負荷を与え、その状態で一定の疲労を得る程度に筋肉部位を伸縮運動させることによって、筋肉に疲労を生じさせ、疲労した筋肉が疲労回復過程で以前の状態を越えた状態となる超回復により筋肉の増大を図る方法（特許文献１）がある。
然し、ウォーキング時の如く、常に脚を動かし特に大腿部を常に前方に上げ下ろしするような運動の場合、身体の自由な動きが疎外されることにもなる。
【特許文献１】特許第２６７０４２１号公報
【考案の開示】
【考案が解決しようとする課題】
【０００４】
本考案は上記の点に鑑みて、大腿部後部の筋力であるハムストリングスを強化するために緊締力を加えようとする場合に、緊締力を加えても、ウォーキングのための足の運動が制限されることなく自然に足を動かすことが出来るショーツ，スパッツ等の下穿を得ることを目的とする。
【課題を解決するための手段】
【０００５】
本考案のショーツ，スパッツ等の下穿にあっては、筒状に前身頃と後身頃が連続して編成されてなり股下部に襠布を有するものあって、ショーツの脚部が長くなったスパッツにあっては身頃の延長された編地を適宜縫製し、前身頃の脚筒部及び後身頃の左右のヒップ部膨大部を伸縮性の大なる組織の編地とし、その他の部分を伸縮性の少ない組織の編地とした。
【考案の効果】
【０００６】
本考案のショーツ，スパッツ等の下穿は、筒状に前身頃と後身頃が連続して編成されてなり、前後身頃の股下部に前記身頃と別途編成された襠布を縫着したショーツ，スパッツ等の下穿であるため、編地の編成時前後身頃には任意個所に任意組織の編地を配することが可能で、そのため前身頃の脚筒部及び後身頃の左右のヒップ部膨大部を収縮性の大なる組織の編地とし、その他の部分を伸縮性の少ない組織の編地とすることによって、ハムストリングスに対応する位置の編地の緊締度を高め着用時ハムストリングを緊締することによる筋力アップ効果を得ることが可能となるり、それによりヒップアップ効果を期待できる。
【０００７】
また、前身頃の脚筒部上位は伸縮性の大なる組織となるため、該部分の生地はソフトな感触で身体の動きにつれて柔らかく伸縮し、ウォーキングなど大きなスライドを取る動きや腿をを高く上げる運動を妨げることなく、正しいフォームで効率的な運動が可能である。
【考案を実施するための最良の形態】
【０００８】
本考案の最良の実施形態についてショーツについて図面と共に説明するが、スパッツにあっては脚部の長さが長くなるだけで身頃部分の構成等は同様である。図１はショーツの正面図、図２は同背面図、図３は襠布の平面図、図４のＡは伸びにくい部分の編地組織、同Ｂは伸びる部分の編地組織を示す。
【０００９】
本考案ショーツ，スパッツ等の下穿１は、丸編機によって編地のパターンに従って所定ウエールごとにその編組織を選択して前身頃２，後身頃３が連続した筒状に編成されている。使用糸は、ポリエステル７５ｄ１００Ｆとナイロン２０ｄ／２０ｄ引揃え，ポリウレタン７０ｄのナイロンＦＴＹ糸との引き揃え糸を用いている。
【００１０】
筒状に連続して編成された前身頃２と後身頃３とは共にその中央下部に切込を入れ、該部に襠布４を当て、股下部５とし、股下部５の両側に脚筒部６，６を構成する。
前身頃２と後身頃３の上端縁１２は、伸縮性組織で編成され２重に折り返され筒状のウエストバンド７が一体に編成されている。
【００１１】
次に、本考案ショーツ，スパッツ等の下穿１の編組織について説明する。
本考案ショーツ，スパッツ等の下穿１は、その各パーツごとに伸縮性の強弱を適宜変化させた編組織を選択して各コースのウエールごとに所定の組織を決めそれに基づいて全体として筒状に編成されている。
【００１２】
前身頃２では正面中央の腹部を被う編地８を伸縮性の少ないハードな組織の編地Ａとし、腹部を被う編地８に続く脚筒部６の前面中央寄りの部分９の編地は伸縮性を持つソフトな組織の編地Ｂとしている。そして、腹部を被う編地８の両側から脚筒部６の中程にかけての範囲に図１では３本のライン１０が画かれているが、前身頃２の両側に現われたライン１０はデザイン上設けられたものであって、当該ウエールの編成に際してその部分のみ組織を変え輪郭線としたものである。即ち、前記引き揃えで給糸していた２本の内の１本の糸のみでライン７の組織を編成し他の１本の糸はその裏面に浮かせている。
そして、この実施例では、ライン１０が前身頃２と後身頃３の組織上の変化の境界線ともなっている。
【００１３】
後身頃３にあっては、ヒップ部左右に位置するヒップ膨大部１１を伸縮性を有するソフトな編組織Ｂとし、その周囲の部分及び脚筒部６の編地は伸縮性の少ない緊締力のあるハードな編組織Ａとしている。
上記において前身頃の脚筒部及び後身頃の左右のヒップ膨大部１１を伸び易い伸縮性の大なる組織の編地Ｂ、例えば図４Ｂに示す天竺とし、その他の部分の編地を伸縮性の小なる伸びにくい組織の編地Ａ、例えば図４Ａに示す鹿の子タック編組織の如きものとする。
【００１４】
本考案ショーツ，スパッツ等の下穿は、後身頃の脚筒部６はハードな組織の編地Ａで被われることになり、当該部位の編地は大腿部のハムストリングスを圧迫し刺激を与え筋力アップを助長する。
そして、前身頃の脚筒部にあってはソフトな組織の編地Ｂの存在によりウォーキング時など脚の上挙を容易に行え運動をスムースにしている。
【図面の簡単な説明】
【００１５】
【図１】本考案ショーツの正面図。
【図２】同背面図。
【図３】襠布の平面図。
【図４】Ａは伸びにくい部分の編地組織図、Ｂは伸びる部分の編地組織図。
【符号の説明】
【００１６】
１  ショーツ
２  前身頃
３  後身頃
４  襠布
５  股下部
６  脚筒部
７  ウエストバンド
８  腹部を被う編地
９  脚筒部の前面中央寄りの部分
１０  ライン
１１  ヒップ膨大部
１２  前身頃と後身頃の上端縁
Ａ  伸びにくい組織の編地
Ｂ  伸びる組織の編地
【図１】
0003127180.tif 000003
【図２】
0003127180.tif 000004
【図３】
0003127180.tif 000005
【図４】
0003127180.tif 000006